(57)【要約】【課題】本発明は、表示装置に関するものであり、不要輻射の抑制を目的とするものである。【解決手段】そしてこの目的を達成するために本発明は、前面側と後面側が開口し、後面側開口部には、内周方向への取りつけリブ２を有する金属製の枠体３と、この枠体３内に収納した表示体４と、前記枠体３の後面側の開口を覆った金属製の後面板５と、前記枠体３の内周部で、前記表示体４の外周部分に設けた複数の取りつけ部材６とを備え、  前記取りつけ部材６は、表示体４の前面外周部に当接する第１の当接部７を有し、前記枠体３の後面開口部側に第１から第３の雌ネジ部８、９、１０を有し、第１の雌ネジ部８に、前記リブ２を貫通して第１の雄ネジ部１１を螺合させることで、この取りつけ部材６をリブ２に固定する。【選択図】図６
2010197582.tif 000002
【特許請求の範囲】
【請求項１】
前面側と後面側が開口し、後面側開口部には、内周方向への取りつけリブを有する金属製の枠体と、この枠体内に収納した表示体と、前記枠体の後面側の開口を覆った金属製の後面板と、前記枠体の内周部で、前記表示体の外周部分に設けた複数の取りつけ部材とを備え、
前記取りつけ部材は、前記枠体の前面開口部側に、前記表示体の前面外周部に当接する第１の当接部を有し、前記枠体の後面開口部側に複数の雌ネジ部を有し、この取りつけ部材を前記枠体の内面に装着した状態で、この取りつけ部材の第１の雌ネジ部に、前記リブを貫通して第１の雄ネジ部を螺合させることで、この取りつけ部材をリブに固定し、
この取りつけ部材の第２の雌ネジ部に、抑え部材を貫通した第２の雄ネジ部を螺合させることで、この取りつけ部材に抑え部材を固定し、
この取りつけ部材の第３の雌ネジ部に、前記後面板の外周部を貫通した第３の雄ネジ部を螺合させることで、この後面板をリブに固定し、
前記抑え部材には、表示体の後面に当接する第２の当接部を設けた表示装置。
【発明の詳細な説明】
【技術分野】
【０００１】
本発明は、たとえば、医療現場や電気的測定現場などに用いられる表示装置に関するものである。
【背景技術】
【０００２】
従来のこの種の表示装置の構成は、以下のような構成となっていた。
【０００３】
すなわち、前面側と後面側が開口した枠体と、この枠体内に収納した表示体と、前記枠体の後面側の開口を覆った後面板とを備え、後面板に取りつけたアームで天井などに取りつける構成となっていた（例えば下記特許文献１）。
【特許文献１】特開２００８−１０７７５１号公報
【発明の開示】
【発明が解決しようとする課題】
【０００４】
上記従来例における課題は、この表示装置からの不要輻射であった。
【０００５】
すなわち、前記枠体や後面板は、合成樹脂で形成されたものであって、表示体からの不要輻射が発生し、それが、上述した医療現場や電気的測定現場であった場合には、想定外の結果が発生する可能性があり、好まれぬものであった。
【０００６】
そこで本発明は、不要輻射の抑制を目的とするものである。
【課題を解決するための手段】
【０００７】
そして、この目的を達成するために本発明は、前面側と後面側が開口し、後面側開口部には、内周方向への取りつけリブを有する金属製の枠体と、この枠体内に収納した表示体と、前記枠体の後面側の開口を覆った金属製の後面板と、前記枠体の内周部で、前記表示体の外周部分に設けた複数の取りつけ部材とを備え、前記取りつけ部材は、前記枠体の前面開口部側に、前記表示体の前面外周部に当接する第１の当接部を有し、前記枠体の後面開口部側に複数の雌ネジ部を有し、この取りつけ部材を前記枠体の内面に装着した状態で、この取りつけ部材の第１の雌ネジ部に、前記リブを貫通して第１の雄ネジ部を螺合させることで、この取りつけ部材をリブに固定し、この取りつけ部材の第２の雌ネジ部に、抑え部材を貫通した第２の雄ネジ部を螺合させることで、この取りつけ部材に抑え部材を固定し、この取りつけ部材の第３の雌ネジ部に、前記後面板の外周部を貫通した第３の雄ネジ部を螺合させることで、この後面板をリブに固定し、前記抑え部材には、表示体の後面に当接する第２の当接部を設け、これにより所期の目的を達成するものである。
【発明の効果】
【０００８】
以上のように本発明は、前面側と後面側が開口し、後面側開口部には、内周方向への取りつけリブを有する金属製の枠体と、この枠体内に収納した表示体と、前記枠体の後面側の開口を覆った金属製の後面板と、前記枠体の内周部で、前記表示体の外周部分に設けた複数の取りつけ部材とを備え、前記取りつけ部材は、前記枠体の前面開口部側に、前記表示体の前面外周部に当接する第１の当接部を有し、前記枠体の後面開口部側に複数の雌ネジ部を有し、この取りつけ部材を前記枠体の内面に装着した状態で、この取りつけ部材の第１の雌ネジ部に、前記リブを貫通して第１の雄ネジ部を螺合させることで、この取りつけ部材をリブに固定し、この取りつけ部材の第２の雌ネジ部に、抑え部材を貫通した第２の雄ネジ部を螺合させることで、この取りつけ部材に抑え部材を固定し、この取りつけ部材の第３の雌ネジ部に、前記後面板の外周部を貫通した第３の雄ネジ部を螺合させることで、この後面板をリブに固定し、前記抑え部材には、表示体の後面に当接する第２の当接部を設けたものであるので、不要輻射を抑制することができる。
【０００９】
すなわち、本発明においては、枠体と後面板が金属製であり、しかも、それらを取りつけ部材を利用した雄ネジと雌ネジの螺合で取りつけるので、電気的なシールド効果が高まり、その結果として、不要輻射を抑制することができるものである。
【００１０】
また、この取りつけ部材の第１の当接部と、抑え部材の第２の当接部で、表示体の前後面を挟み込んで保持することで、枠体に不用意な荷重がかかり、前面側から見た時の枠体の変形を防止することもできる。
【発明を実施するための最良の形態】
【００１１】
以下、本発明の一実施形態を添付図面を用いて説明する。
【００１２】
図１は、本実施形態における表示装置を、たとえば医療現場の壁に、図２に示す取りつけアーム１で装着した状態を示すものである。この表示装置は、図３に示すごとく前面側と後面側が開口し、後面側開口部には、内周方向への取りつけリブ２（拡大図は図７）を有する金属製で四角形の枠体３と、この枠体３内に収納した四角形の表示体４と、前記枠体３の後面側の開口を覆った金属製の後面板５と、前記枠体３の内周部で、前記表示体４の外周部分に設けた金属製の、複数の取りつけ部材６とを備えている。
【００１３】
前記各取りつけ部材６は、それぞれ図４、図５に示すごとく、その枠体３の前面開口部側に、前記表示体４の前面外周部に当接する第１の当接部７を有し、また、その枠体３の後面開口部側に第１から第３の雌ネジ部８、９、１０を有している。
【００１４】
そして、図６のごとく、この取りつけ部材６を前記枠体３の内面に装着した状態で、この取りつけ部材６の第１の雌ネジ部８に、前記リブ２を貫通して第１の雄ネジ部１１を螺合させることで、この取りつけ部材６をリブ２に固定している。なお、この取りつけ部材６のリブ２への取り付けは、図３からも理解されるように、表示体４の上下辺の左右２ヶ所および左右辺の上下２ヶ所の合計８ヶ所には最低限設けられているが、もちろん、上下辺の中央部や左右辺の中央部に、さらに追加される場合もある。
【００１５】
このように、枠体３内の複数箇所に取りつけ部材６を、第１の雄ネジ部１１で固定した状態で、図７のごとく、枠体３内に表示体４を装着し、その状態で、この取りつけ部材６の第２の雌ネジ部９に、図８、図９に示す金属製の抑え部材１２を貫通した第２の雄ネジ部１３を螺合させることで、この取りつけ部材６に抑え部材１２を固定する。
【００１６】
前記抑え部材１２には、表示体４の後面に当接する第２の当接部１４を設けているので、上述のごとく、この取りつけ部材６の第２の雌ネジ部９に、金属製の抑え部材１２を貫通した第２の雄ネジ部１３を螺合させることで、この取りつけ部材６に抑え部材１２を固定すると、表示体４の前面外周部は、取りつけ部材６の第１の当接部７に当接し、また、表示体４の後面外周部は、抑え部材１２の第２の当接部１４が当接し、つまり、これら第１第２の当接部７、１４で表示体４の外周が複数箇所で保持されることとなる。
【００１７】
さて、次に図１０、図１１に示すごとく、取りつけ部材６の第３の雌ネジ部１０に前記後面板５の外周部を貫通した第３の雄ネジ部１５を螺合させることで、この後面板５をリブ２に固定する。
【００１８】
以上のごとく、本実施形態においては、枠体３は、表示体４の大きさに合わせ、リブ２を含めて金属製板体を、打ち抜きと折り曲げで形成したものであり、よって、第１から第３の雄ネジ部１１、１３、１５を螺合させる雌ネジ部を一体形成することはできない。
【００１９】
そこで、本実施形態では、第１から第３の雄ネジ部１１、１３、１５を螺合させるための第１から第３の雌ネジ部８、９、１０を、取りつけ部材６に形成したものであり、これによれば、金属製の枠体３と金属製の後面板５とが、金属製の第１から第３の雄ネジ部１１、１３、１５を介して電気的に導通状態となるので、表示体４からの不要輻射を抑制することができる。
【００２０】
また、取りつけ部材６と抑え部材１２を用いることで、枠体３を表示体４の大きさに適宜合致する大きさ形状に簡単に加工し、しかも金属製の後面板５と電気的なシールド効果を発揮させることも簡単に行えるものとなる。
【００２１】
さらに、取りつけ部材６およびそれ自身が有する第１の当接部７と、抑え部材１２自身が有する第２の当接部１４により、表示体４の外周を複数箇所で保持しているので、表示体４の外周が直接枠体３に当接することはなく、よって、取りつけ現場への搬送時などにおける衝撃で、枠体３が変形するのも抑制することができる。
【産業上の利用可能性】
【００２２】
以上のように本発明は、前面側と後面側が開口し、後面側開口部には、内周方向への取りつけリブを有する金属製の枠体と、この枠体内に収納した表示体と、前記枠体の後面側の開口を覆った金属製の後面板と、前記枠体の内周部で、前記表示体の外周部分に設けた複数の取りつけ部材とを備え、前記取りつけ部材は、前記枠体の前面開口部側に、前記表示体の前面外周部に当接する第１の当接部を有し、前記枠体の後面開口部側に複数の雌ネジ部を有し、この取りつけ部材を前記枠体の内面に装着した状態で、この取りつけ部材の第１の雌ネジ部に、前記リブを貫通して第１の雄ネジ部を螺合させることで、この取りつけ部材をリブに固定し、この取りつけ部材の第２の雌ネジ部に、抑え部材を貫通した第２の雄ネジ部を螺合させることで、この取りつけ部材に抑え部材を固定し、この取りつけ部材の第３の雌ネジ部に、前記後面板の外周部を貫通した第３の雄ネジ部を螺合させることで、この後面板をリブに固定し、前記抑え部材には、表示体の後面に当接する第２の当接部を設けたものであるので、不要輻射を抑制することができる。
【００２３】
すなわち、本発明においては、枠体と後面板が金属製であり、しかも、それらを取りつけ部材を利用した雄ネジと雌ネジの螺合で取りつけるので、電気的なシールド効果が高まり、その結果として、不要輻射を抑制することができるものである。
【００２４】
また、この取りつけ部材の第１の当接部と、抑え部材の第２の当接部で、表示体の前後面を挟み込んで保持することで、枠体に不用意な荷重がかかり、前面側から見た時の枠体の変形を防止することもできる。
【００２５】
したがって、本発明は、医療現場や電気的測定現場等における表示装置として、広く活用が期待されるものである。
【図面の簡単な説明】
【００２６】
【図１】本発明の一実施形態の設置状態を示す斜視図
【図２】その後面側からの斜視図
【図３】その分解斜視図
【図４】その取りつけ部材の斜視図
【図５】その取りつけ状態を示す分解斜視図
【図６】その取りつけ状態を示す斜視図
【図７】その取りつけ状態を示す斜視図
【図８】その抑え部材の斜視図
【図９】その取りつけ状態を示す斜視図
【図１０】その取りつけ状態を示す斜視図
【図１１】その取りつけ状態を示す斜視図
【符号の説明】
【００２７】
１  アーム
２  リブ
３  枠体
４  表示体
５  後面板
６  取りつけ部材
７  当接部
８、９、１０  雌ネジ部
１１  雄ネジ部
１２  抑え部材
１３  雄ネジ部
１４  当接部
１５  雄ネジ部
【図１】
2010197582.tif 000003
【図２】
2010197582.tif 000004
【図３】
2010197582.tif 000005
【図４】
2010197582.tif 000006
【図５】
2010197582.tif 000007
【図６】
2010197582.tif 000008
【図７】
2010197582.tif 000009
【図８】
2010197582.tif 000010
【図９】
2010197582.tif 000011
【図１０】
2010197582.tif 000012
【図１１】
2010197582.tif 000013